(57)【要約】【課題】増幅率に依存した増幅部の特性に関わらず、映像信号のノイズの検出レベルに応じて適切な映像補正を実行することができる映像処理装置及び映像処理方法を提供する。【解決手段】映像処理装置１は、放送信号の信号強度を増幅するＲＦブースター１１Ａと、信号強度が増幅された放送信号２０を選局・復調部１１Ｂにおいて復調して得られた映像信号２１（２８）からノイズを検出してノイズ検出値を出力するノイズ検出部１８と、ＲＦブースター１１Ａの増幅率及びノイズ検出値２９に応じて映像処理のための補正値を決定するＭＰＵ１９と、映像信号２２〜２７を補正値に基づいて補正処理するＤＮＲ処理部１３、エンハンサ部１４、ダイナミックガンマ補正部１５及びスタティックガンマ補正部１７とを有する。【選択図】図２
2012023543.tif 000002
【特許請求の範囲】
【請求項１】
放送信号の信号強度を増幅する増幅部と、
前記増幅部によって信号強度が増幅された前記放送信号を復調して得られた映像信号からノイズを検出してノイズ検出値を出力する検出部と、
前記増幅部の増幅率及び前記ノイズ検出値に応じて映像処理のための補正値を決定する制御部と、
前記映像信号を前記補正値に基づいて補正処理する処理部とを有する映像処理装置。
【請求項２】
前記増幅部の信号強度の増幅率を、予め定めた複数の選択肢から選択する選択手段をさらに有する請求項１に記載の映像処理装置。
【請求項３】
前記制御部は、前記ノイズ検出値に対して前記増幅率毎に前記補正値を対応付けた対応情報に基づいて、前記処理部の前記補正値を変更する請求項１又は２に記載の映像処理装置。
【請求項４】
前記制御部は、前記補正値に対して前記増幅率毎に前記ノイズ検出値を対応付けた対応情報に基づいて、前記処理部の前記補正値を変更する請求項１〜３のいずれかに記載の映像処理装置。
【請求項５】
前記処理部は、前記映像信号に、前記映像信号のフレーム間差分を前記補正値に応じて加算してノイズを低減することで補正処理する請求項１〜４のいずれかに記載の映像処理装置。
【請求項６】
前記処理部は、前記補正値に応じて、前記映像信号に輪郭強調処理、ダイナミックガンマ補正処理、スタティックガンマ補正処理の少なくとも１つを実行することで補正処理する請求項１〜５のいずれかに記載の映像処理装置。
【請求項７】
放送信号の信号強度を増幅する増幅ステップと、
信号強度が増幅された前記放送信号を映像信号に復調する復調ステップと、
前記映像信号のノイズを検出する検出ステップと、
前記映像信号の信号強度の増幅率及び検出された前記ノイズに応じて前記映像信号を補正処理する処理ステップとを有する映像処理方法。
【請求項８】
放送信号の信号強度を増幅する増幅部と、
前記増幅部によって信号強度が増幅された前記放送信号を復調して得られた映像信号からノイズ量を検出する検出部と、
前記増幅部の増幅率及び検出された前記ノイズ量に応じて前記映像信号を補正処理する処理部と、
前記増幅率を変更することをユーザに許可する選択手段を有する映像処理装置。
【発明の詳細な説明】
【技術分野】
【０００１】
本発明の実施の形態は、映像処理装置及び映像処理方法に関する。
【背景技術】
【０００２】
従来の映像処理装置として、映像信号のノイズの検出レベルに応じて映像信号に対する映像補正機能を制御するものが知られている（例えば、特許文献１）。
【０００３】
テレビジョン受像機等の映像処理装置における映像信号の映像補正機能は、一般的に映像信号のノイズレベルを検出し、その検出レベルに応じて、例えば、ノイズを低減させる度合いを調整するものである。これにより、過剰なノイズ低減の適用を防止し、動画の尾引き等の不自然な映像を防止することができる。また、映像信号の映像補正機能には、映像信号のノイズの検出レベルに応じてさらにガンマ調整等の映像補正のパラメータを制御するものがある。これにより、ノイズ低減された映像信号と、ノイズ低減のされない映像信号との画質補正の効果に差が生じないようにすることができる。
【先行技術文献】
【特許文献】
【０００４】
【特許文献１】特開２００５−２８６４１３号公報
【発明の概要】
【発明が解決しようとする課題】
【０００５】
しかし、従来の映像処理装置によると、例えば、アンテナ等によって受信される放送信号が弱電界であり、その信号強度を十分なものにするために増幅部により増幅すると、増幅部の増幅率の変化に伴う周波数特性や混信性能等の変化により、放送信号を復調した映像信号のノイズの特性が増幅率に応じて変化するため、特性変化後のノイズの検出レベルに応じた映像補正機能を映像信号に適用することによる効果が特性変化前の映像信号に適用することによる効果と同様とならないことがあり、必ずしも適切な映像補正を実行することができないという問題がある。
【０００６】
従って、本発明の目的は、増幅率に依存した増幅部の特性に関わらず、映像信号のノイズの検出レベルに応じて適切な映像補正を実行することができる映像処理装置及び映像処理方法を提供することにある。
【課題を解決するための手段】
【０００７】
［１］本発明は、上記した目的を達成するため、放送信号の信号強度を増幅する増幅部と、前記増幅部によって信号強度が増幅された前記放送信号を復調して得られた映像信号からノイズを検出してノイズ検出値を出力する検出部と、前記増幅部の増幅率及び前記ノイズ検出値に応じて映像処理のための補正値を決定する制御部と、前記映像信号を前記補正値に基づいて補正処理する処理部とを有する映像処理装置を提供する。
【０００８】
上記した構成によれば、増幅率に依存した増幅部の特性に関わらず、映像信号のノイズの検出レベルに応じて適切な映像補正を実行することができる。
【０００９】
［２］また、本発明は、上記した目的を達成するため、放送信号の信号強度を増幅する増幅ステップと、信号強度が増幅された前記放送信号を映像信号に復調する復調ステップと、前記映像信号のノイズを検出する検出ステップと、前記映像信号の信号強度の増幅率及び検出された前記ノイズに応じて前記映像信号を補正処理する処理ステップとを有する映像処理方法を提供する。
【００１０】
上記した構成によれば、［１］と同様の効果を有する映像処理方法を実現できる。
【００１１】
［３］また、本発明は、上記目的を達成するため、放送信号の信号強度を増幅する増幅部と、前記増幅部によって信号強度が増幅された前記放送信号を復調して得られた映像信号からノイズ量を検出する検出部と、前記増幅部の増幅率及び検出された前記ノイズ量に応じて前記映像信号を補正処理する処理部と、前記増幅率を変更することをユーザに許可する選択手段を有する映像処理装置を提供する。
【００１２】
上記した構成によれば、ユーザが変更した増幅率に応じて、［１］と同様の効果を達成することができる。
【図面の簡単な説明】
【００１３】
【図１】図１は、本発明の第１の実施の形態に係る映像処理装置の外観の一例を示す斜視図である。
【図２】図２は、映像処理装置の映像処理及び制御系の構成例を示すブロック図である。
【図３】図３は、パラメータ情報の一例を示す概略図である。
【図４】図４（ａ）及び（ｂ）は、ノイズ−パラメータ対応情報の一例を示す概略図である。
【図５】図５（ａ）は、ノイズ評価値で記述したノイズ−パラメータ対応情報であり、図５（ｂ）は、ノイズ検出値とノイズ評価値との関係を示すグラフ図である。
【図６】図６は、ノイズ−パラメータ対応情報の一例を示す概略図である。
【図７】図７は、ＲＦ信号の入力電界とノイズ検出部のノイズ検出値との関係を示すグラフ図である。
【図８】図８は、映像信号の構成の一例を示す概略図である。
【図９】図９は、ＤＮＲ処理部の動作例を説明するための図である。
【図１０】図１０は、エンハンサ部の動作例を説明するための図である。
【図１１】図１１は、ダイナミックガンマ補正部の動作例を説明するための図である。
【図１２】図１２は、スタティックガンマ補正部の動作例を説明するための図である。
【図１３】図１３は、映像処理装置の動作の一例を示すフローチャートである。
【図１４】図１４は、ＲＦブースターの増幅率の切替方法の変形例を示す概略図である。
【図１５】図１５は、本発明の第２の実施の形態に係るノイズ−パラメータ対応情報の一例を示す概略図である。
【発明を実施するための形態】
【００１４】
［第１の実施の形態］
（映像処理装置の構成）
図１は、本発明の第１の実施の形態に係る映像処理装置の外観の一例を示す斜視図である。
【００１５】
この映像処理装置１は、アンテナ（図２、１０）を介して外部から放送信号としてＲＦ（Radio Frequency）信号を受信して、受信したＲＦ信号を復調した映像信号を処理して映像を表示するテレビ受像器等であって、前面に映像を表示するＬＣＤ（Liquid Crystal Display）パネル等から構成される表示部２と、リモコン４から送信される遠赤外光を受光する受光部３とを有する。
【００１６】
また、映像処理装置１は、後述するように、内部にＲＦ信号を増幅するＲＦブースター（図２、１１Ａ）、映像信号のノイズレベルを検出するノイズ検出部（図２、１８）、ノイズ低減機能を有するＤＮＲ（Digital Noise Reduction）処理部（図２、１３）及び映像補正機能を有する機能部等を有し、ＲＦブースター１１Ａの状態及びノイズの検出レベルに応じてノイズ低減機能及び映像補正機能を実行する。
【００１７】
また、映像処理装置１は、背面に図示しないアンテナ端子、外部入力端子及び複数のスイッチからなる操作部等を有し、本体内部には映像信号や音声信号を処理したり各部を制御するためのＭＰＵ（Micro Processing Unit）、ＲＡＭ（Random Access Memory）、ＲＯＭ（Read Only Memory）等からなる電子部品を有する。
【００１８】
リモコン４は、電源の投入や遮断、チャンネル切替や音量調整等を操作するための図示しない複数のスイッチと、映像処理装置１のＲＦブースター１１Ａの増幅値を切り替え操作するためのブースター切替スイッチ４ａとを有し、これらのスイッチの操作に応じた操作信号を遠赤外光により送信する。
【００１９】
図２は、映像処理装置１の映像処理及び制御系の構成例を示すブロック図である。
【００２０】
映像処理装置１は、アンテナ１０、チューナ１１、ＡＤコンバータ／ＹＣ分離／色復調回路部１２、ＤＮＲ処理部１３、エンハンサ部１４、ダイナミックガンマ補正部１５、ＲＧＢ変換部１６、スタティックガンマ補正部１７、ノイズ検出部１８及びＭＰＵ１９を有する。
【００２１】
アンテナ１０は、例えば、ＵＨＦ（Ultra High Frequency）帯やＶＨＦ（Very High Frequency）帯の放送波を受信する線状アンテナや、衛星放送波を受信するパラボラアンテナ等である。
【００２２】
チューナ１１は、アンテナ１０が受信したＲＦ信号が弱電界の場合にＳＮ比を改善するために、ＲＦ信号を増幅してＲＦ信号２０を出力するＲＦブースター１１Ａと、ＲＦ信号２０から所望のチャンネルの信号を選局して復調し、映像信号２１を出力する選局・復調部１１Ｂとを有する。
【００２３】
また、ＲＦブースター１１Ａは、強電界のＲＦ信号を増幅することによって、ひずみによる同期つぶれや対混信性能の劣化といった不具合が生じることを防ぐために、低減した増幅率とするゲインコントロール機能を有し、リモコン４のブースター切替スイッチ４ａにより通常の増幅率と低減した増幅率とを切り替える。
【００２４】
ＡＤコンバータ／ＹＣ分離／色復調回路部１２は、映像信号２１をアナログ−デジタル変換して、ＹＣ分離し、色復調してＹ／色差信号２２に変換して出力する。
【００２５】
ＤＮＲ処理部１３は、Ｙ／色差信号２２をフレーム差分処理によってノイズ除去し、ノイズ除去されたＹ／色差信号２３を出力する。
【００２６】
エンハンサ部１４は、Ｙ／色差信号２３の輪郭やディテールを強調し、輪郭やディテールの強調されたＹ／色差信号２４を出力する。
【００２７】
ダイナミックガンマ補正部１５は、Ｙ／色差信号２４のコントラストを改善し、コントラストの改善されたＹ／色差信号２５を出力する。
【００２８】
ＲＧＢ変換部１６は、Ｙ／色差信号２５を色差／ＲＧＢ変換し、ＲＧＢ信号２６を出力する。
【００２９】
スタティックガンマ補正部１７は、ＲＧＢ信号２６を表示部２のパネル特性に合わせてパネルガンマ特性補正し、ＲＧＢ信号２７を出力する。
【００３０】
ノイズ検出部１８は、ＡＤコンバータ／ＹＣ分離／色復調回路部１２から出力される映像信号２８のノイズレベルを検出し、ノイズ検出値２９として出力する。
【００３１】
ＭＰＵ１９は、制御信号３１によってＲＦブースター１１Ａを、制御信号３０によってＤＮＲ処理部１３、エンハンサ部１４、ダイナミックガンマ補正部１５及びスタティックガンマ補正部１７を制御する。制御信号３１は、リモコン４においてブースター切替スイッチ４ａが操作され、受光部３がその操作に該当する操作信号を遠赤外光で受光し、操作信号３２がＭＰＵ１９に入力された場合に、ＭＰＵ１９によって出力され、ＲＦブースター１１Ａの増幅率を制御する。
【００３２】
また、ＭＰＵ１９は、ＤＮＲ処理部１３、エンハンサ部１４、ダイナミックガンマ補正部１５及びスタティックガンマ補正部１７の設定値情報であるパラメータ情報１９０並びにノイズ検出部１８の出力するノイズ検出値２９とパラメータ情報１９０とを対応付けたノイズ−パラメータ対応情報１９１を内蔵メモリに記憶する。
【００３３】
図３は、パラメータ情報１９０の一例を示す概略図である。
【００３４】
パラメータ情報１９０は、パラメータの組み合わせ名を示すパラメータ群欄、ＤＮＲ処理部１３、エンハンサ部１４、ダイナミックガンマ補正部１５及びスタティックガンマ補正部１７のそれぞれの設定内容を示す適応パラメータ欄、適応パラメータの具体的な設定値を示す設定値欄を有する。
【００３５】
図４（ａ）及び（ｂ）は、ノイズ−パラメータ対応情報の一例を示す概略図である。
【００３６】
ノイズ−パラメータ対応情報１９１Ａは、図４（ａ）に示すように、ノイズ検出部１８で検出されるノイズ検出値を示すノイズ検出値欄、ノイズ検出値に応じて適用するパラメータ情報１９０のパラメータ群を示す適応パラメータ群欄を有する。
【００３７】
また、ノイズ−パラメータ対応情報１９１Ａは、図４（ｂ）に示すように、ノイズ検出値を横軸に、適応パラメータ群を縦軸にグラフ化するとノイズ検出値ａ、ｂ、ｃ、ｄ、ｅ、ｆ、ｇを境に段階的に変化する。
【００３８】
ここで、ノイズ検出値を具体的な数値とせずにａ、ｂ、ｃ、ｄ、ｅ、ｆ、ｇとしているのは、ＲＦブースター１１Ａの増幅率によりこれらの値が変化するからであり、その理由について以下説明する。
【００３９】
図５（ａ）は、ノイズ評価値で記述したノイズ−パラメータ対応情報であり、図５（ｂ）は、ノイズ検出値とノイズ評価値との関係を示すグラフ図である。
【００４０】
映像処理装置１を設計する際、適応パラメータ群は、ノイズ検出値に割り当てられるものではなく、表示部２に表示される映像に表われるノイズ等の特性を設計者の目視等の手段で確認される値である「ノイズ評価値」に割り当てられる。
【００４１】
また、図５（ｂ）に示すように、ノイズ評価値とノイズ検出値との対応関係は、ＲＦブースター１１Ａの増幅率の大小によって異なった特性を示し、弱電界ではＲＦブースター１１Ａの増幅率が大きい方がノイズ検出値に対するノイズ評価値が小さくなり、強電界ではＲＦブースター１１Ａの増幅率が小さい方がノイズ検出値に対するノイズ評価値が小さくなる。
【００４２】
そこで、ＲＦブースター１１Ａの増幅率の大小のそれぞれについて、ノイズ評価値とノイズ検出値との関係を、ノイズ−パラメータ対応情報１９１Ｂに適用すると以下に説明するノイズ−パラメータ対応情報１９１Ｃが得られる。
【００４３】
図６は、ノイズ−パラメータ対応情報１９１Ｃの一例を示す概略図である。
【００４４】
ノイズ−パラメータ対応情報１９１Ｃは、ノイズ検出部１８の検出ノイズの値を示すノイズ検出値欄と、ＲＦブースター１１Ａの増幅率が大きい場合のノイズ評価値欄と、適応パラメータ群欄と、ＲＦブースター１１Ａの増幅率が小さい場合のノイズ評価値欄と、適応パラメータ群欄とを有する。
【００４５】
（映像処理装置の動作）
以下に、本発明の第１の実施の形態における映像処理装置の動作例を図１〜１３を参照しつつ、（１）映像処理装置の基本動作、（２）ＲＦブースターの増幅率変更によるノイズ低減動作及び映像補正動作に分けて説明する。
【００４６】
（１）映像処理装置の基本動作
まず、チューナ１１のＲＦブースター１１Ａは、アンテナ１０が受信したＲＦ信号を増幅してＲＦ信号２０を出力する。
【００４７】
図７は、ＲＦ信号の入力電界とノイズ検出部１８のノイズ検出値との関係を示すグラフ図である。
【００４８】
チューナ１１は、検波回路等で一定のノイズを発生するため、ＲＦ信号が弱電界の場合、そのノイズがＲＦ信号に対し相対的に大きいものとなる。従って、ＲＦブースター１１ＡでＲＦ信号を一定レベルまで増幅すると、ノイズも増幅されるため、ノイズ検出部１８のノイズ検出値は、ＲＦ信号の入力電界に対し反比例した振る舞いとなる。
【００４９】
次に、選局・復調部１１Ｂは、ＲＦ信号２０から所望のチャンネルの信号を選局して復調し、映像信号２１を出力する。
【００５０】
次に、ＡＤコンバータ／ＹＣ分離／色復調回路部１２は、映像信号２１をアナログ−デジタル変換して、ＹＣ分離し、色復調してＹ／色差信号２２に変換して出力する。また、ＡＤコンバータ／ＹＣ分離／色復調回路部１２は、入力する映像信号２１をノイズ検出のため映像信号２８としてノイズ検出部１８に出力する。
【００５１】
次に、ノイズ検出部１８は、ＡＤコンバータ／ＹＣ分離／色復調回路部１２から出力される映像信号２８のノイズレベルを検出し、ノイズ検出値２９として出力する。具体的には、映像信号２８の垂直帰線期間において観測されるノイズを検出する。
【００５２】
図８は、映像信号２８の構成の一例を示す概略図である。
【００５３】
映像信号２８は、映像中の１〜５２５ラインの走査を示す期間から構成され、１〜２０ラインが垂直帰線期間Ｔｖと呼ばれる表示部２に映像が表示されない期間である。
【００５４】
ノイズ検出部１８は、垂直帰線期間Ｔｖのうち、例えば、垂直同期信号を含む４〜６ラインの次の７ラインの期間においてゲート期間Ｔｇを設け、この期間においてゲートをかけて取り出した信号にローパスフィルターをかけて、ゲート期間Ｔｇの信号振幅を積算検出し、ノイズ検出値を得る。ノイズ検出部１８は、この積算検出をフィールド毎に行い、安定したノイズ検出値を得るために、複数フィールドの平均値を求める。
【００５５】
次に、ＤＮＲ処理部１３は、Ｙ／色差信号２２をフレーム差分処理によってノイズ除去し、ノイズ除去されたＹ／色差信号２３を出力する。
【００５６】
図９は、ＤＮＲ処理部１３の動作例を説明するための図である。
【００５７】
ＤＮＲ処理部１３は、入力１３０から現在の信号（以下、「現信号」という。）が元画像バッファ１３１に入力されると、元画像バッファ１３１の現信号と、中間バッファ１３２に入力された１フレーム遅延された遅延信号との差分を減算部１３３で生成し、増幅率調整部１３４で増幅（減衰）した後、加算部１３５で元画像バッファ１３１の現信号と加算して出力１３６として補正信号を得る。
【００５８】
なお、入力１３０としてＹ／色差信号２２が入力され、出力１３６としてＹ／色差信号２３が出力される。また、加算部１３５で得られた補正信号は、中間バッファ１３２へ並列に出力される。
【００５９】
ＤＮＲ処理部１３は、ＭＰＵ１９によって増幅率調整部１３４の増幅率等を適応パラメータ「ＤＮＲゲイン」（図３）として調整される。増幅率を大きくするとランダムノイズが減少するものの映像の残像が目立つため、ノイズ検出値が小さい場合は、一般的に、増幅率を小さくする。
【００６０】
次に、エンハンサ部１４は、Ｙ／色差信号２３の輪郭やディテールを強調し、輪郭やディテールの強調されたＹ／色差信号２４を出力する。
【００６１】
図１０は、エンハンサ部１４の動作例を説明するための図である。
【００６２】
エンハンサ部１４は、入力１４０から信号が入力されると、２次微分部１４１で２次微分し、増幅率調整部１４２で増幅（減衰）した後、加算部１４３で入力信号と加算又は減算して出力１４４として補正信号を得る。
【００６３】
なお、入力１４０としてＹ／色差信号２３が入力され、出力１４４としてＹ／色差信号２４が出力される。
【００６４】
エンハンサ部１４は、加算部１４３で加算を行う場合にエンハンサとなり、映像中の輪郭のエッジを強調する。また、加算部１４３で減算を行う場合にコアリングとなり、映像中の輪郭をぼかす。
【００６５】
エンハンサ部１４は、ＭＰＵ１９によって増幅率調整部１４２の増幅率及び加算部１４３の加算又は減算の切替等を適応パラメータ「エンハンサゲイン」及び「コアリングゲイン」（図３）として調整される。増幅率を大きくするとエンハンサ又はコアリングの効果を大きくすることができる。エンハンサの効果を大きくするとノイズが目立つことになるため、ノイズ検出値が大きい場合は、一般的に、エンハンサの効果を小さくし、コアリングの効果を大きくする。
【００６６】
次に、ダイナミックガンマ補正部１５は、Ｙ／色差信号２４のコントラストを改善し、コントラストの改善されたＹ／色差信号２５を出力する。
【００６７】
図１１は、ダイナミックガンマ補正部１５の動作例を説明するための図である。
【００６８】
ダイナミックガンマ補正部１５は、入力１５０から信号が入力されると、映像信号ヒストグラム解析部１５１で輝度値に対する画素数の分布をヒストグラム解析し、テンプレートデータ選択部１５２でヒストグラム解析の結果に応じたテンプレートを選択した後、ガンマ補正部１５３で入力信号を選択されたテンプレートに応じてガンマ補正して出力１５４として補正信号を得る。テンプレートデータ選択部１５２は、例えば、０−２５５ＬＳＢの分布のうち、最も画素数の多い輝度値によってテンプレートを選択する。テンプレートによって定められるガンマ特性は、例えば、分布の最も多い輝度値の増幅率を高く設定するものである。
【００６９】
なお、入力１５０としてＹ／色差信号２４が入力され、出力１５４としてＹ／色差信号２５が出力される。
【００７０】
ダイナミックガンマ補正部１５は、ＭＰＵ１９によってガンマ補正部１５３の増幅率等を適応パラメータ「ダイナミックガンマゲイン」（図３）として調整される。増幅率を大きくすると分布の最も多い輝度値のノイズが目立つことになるため、ノイズ検出値が大きい場合は、一般的に、増幅率を小さくし、ガンマ補正の効果を小さくする。
【００７１】
次に、ＲＧＢ変換部１６は、Ｙ／色差信号２５を色差／ＲＧＢ変換し、ＲＧＢ信号２６を出力する。
【００７２】
次に、スタティックガンマ補正部１７は、ＲＧＢ信号２６を表示部２のパネル特性に合わせてパネルガンマ特性補正し、ＲＧＢ信号２７を出力する。
【００７３】
図１２は、スタティックガンマ補正部１７の動作例を説明するための図である。
【００７４】
スタティックガンマ補正部１７は、ＲＧＢ入力１７０から信号が入力されると、テンプレートデータ選択部１７１で入力信号の輝度値（０−２５５ＬＳＢ）に応じたテンプレートを選択した後、ガンマ補正部１７２で入力信号を選択されたテンプレートに応じてガンマ補正してＲＧＢ出力１７３として補正信号を得る。テンプレートデータ選択部１７１は、例えば、表示部２の液晶パネル等の表示素子の特性を補正するために用意されたテンプレートから選択する。
【００７５】
なお、入力１７０としてＲＧＢ信号２６が入力され、出力１７３としてＲＧＢ信号２７が出力される。
【００７６】
スタティックガンマ補正部１７は、ＭＰＵ１９によってガンマ補正部１７２の増幅率等を適応パラメータ「スタティックガンマゲイン」（図３）として調整される。増幅率を小さくするとガンマ特性がリニアに近づき、ＲＧＢ入力信号に対して増幅率が一様となるためノイズが軽減される。そのため、ノイズ検出値が大きい場合は、一般的に、増幅率を小さくし、ガンマ特性をリニアに近づける。
【００７７】
次に、表示部２は、入力されるＲＧＢ信号２７を液晶パネルに表示する。
【００７８】
（２）ＲＦブースターの増幅率変更によるノイズ低減動作及び映像補正動作
まず、利用者がリモコン４のブースター切替スイッチ４ａを操作すると、リモコン４から映像処理装置１に操作信号が遠赤外光で送信される。
【００７９】
映像処理装置１の受光部３は、遠赤外光の操作信号を受光し、操作信号をＭＰＵ１９へと出力する。
【００８０】
図１３は、映像処理装置１の動作の一例を示すフローチャートである。
【００８１】
まず、ＭＰＵ１９は、受光部３からＲＦブースター１１Ａの増幅率を変更する操作信号を受け付けると（Ｓ１；Ｙｅｓ）、ＲＦブースター１１Ａに制御信号３１を送信し、現在のＲＦブースター１１Ａの増幅率が大の場合は小へ、小の場合は大へと増幅率を変更する（Ｓ２）。
【００８２】
次に、ＭＰＵ１９は、ノイズ検出部１８からノイズ検出値２９を受け付けて（Ｓ３）、図６に示すノイズ−パラメータ対応情報１９１Ｃに基づいてＲＦブースター１１Ａの増幅率とノイズ検出値２９とから適応するパラメータ群を決定する（Ｓ４）。例えば、ＲＦブースター１１Ａの増幅率が「大」で、ノイズ検出値２９が「３５」である場合は、適応するパラメータ群として「パラメータＢ」と決定する。
【００８３】
次に、ＭＰＵ１９は、図３に示すパラメータ情報１９０に基づいて決定したパラメータ群からＤＮＲ処理部１３、エンハンサ部１４、ダイナミックガンマ補正部１５及びスタティックガンマ補正部１７のパラメータを決定する（Ｓ５）。
【００８４】
例えば、適応するパラメータ群が「パラメータＢ」の場合は、ＤＮＲ処理部１３のＤＮＲゲインを「０」に、エンハンサ部１４のエンハンサゲインを「１０」及びコアリングゲインを「０」に、ダイナミックガンマ補正部１５のダイナミックガンマゲインを「１０」に及びスタティックガンマ補正部１７のスタティックガンマゲインを「１０」に決定する。
【００８５】
次に、ＭＰＵ１９は、制御信号３０をＤＮＲ処理部１３、エンハンサ部１４、ダイナミックガンマ補正部１５及びスタティックガンマ補正部１７に送信し、ＤＮＲ処理部１３、エンハンサ部１４、ダイナミックガンマ補正部１５及びスタティックガンマ補正部１７の適応パラメータをステップＳ５で決定した値に設定する（Ｓ６）。
【００８６】
なお、ステップＳ３〜Ｓ４は、定期的に、例えば、映像信号のフレーム毎に実行される。
【００８７】
（第１の実施の形態の効果）
上記した第１の実施の形態によると、ノイズ−パラメータ対応情報１９１Ｃに基づいてＲＦブースター１１Ａの増幅率と、ノイズ検出値２９とに対応させて適応するパラメータ群を決定するため、ＲＦブースター１１Ａの増幅率の変化に伴い周波数特性や混信性能等が変化する場合にも、ノイズ検出値２９に応じて適切な映像補正を実行することができる。
【００８８】
なお、ノイズ−パラメータ対応情報１９１Ｃにおいて、ＲＦブースター１１Ａの増幅率が大の場合と小の場合とで、適応パラメータ群欄が同一のものが用いられているが（例えば、ノイズ検出値欄が「４０以下」で増幅率が大の場合、ノイズ検出値欄が「４０〜５０」で増幅率が小の場合の両方において適応パラメータ群は「パラメータＢ」である）、それぞれ異なる値を用意してより詳細に設定してもよい。
【００８９】
［変形例］
図１４は、ＲＦブースター１１Ａの増幅率の切替方法の変形例を示す概略図である。
【００９０】
ＲＦブースター１１Ａのゲインコントロール機能は、ブースター切替スイッチ４ａ以外に、表示部２に表示される表示画像２Ａ中のメニュー２００において増幅率を選択枠２０１によって選択する構成であってもよい。なお、ゲインコントロール機能は、選択可能な２値として、増幅率を所定の値と０とで切り替えるものでもよいし、２値のものに限らず３以上の複数の値を選択肢として選択するものであってもよい。
【００９１】
［第２の実施の形態］
図１５は、本発明の第２の実施の形態に係るノイズ−パラメータ対応情報の一例を示す概略図である。なお、以下の説明において、第１の実施の形態と同一の構成及び機能を有する部分については共通の符号を付している。
【００９２】
ノイズ−パラメータ対応情報１９１Ｄは、ＲＦブースター１１Ａの増幅率が小の場合のノイズ検出部１８の検出ノイズの値を示すノイズ検出値欄と、ＲＦブースター１１Ａの増幅率が大の場合のノイズ検出値欄と、適応パラメータ群欄とを有する。
【００９３】
ノイズ−パラメータ対応情報１９１Ｄは、ＲＦブースター１１Ａの増幅率の大小それぞれについてノイズ検出値を設定している点で、図６に示す第１の実施の形態のノイズ−パラメータ対応情報１９１Ｃと異なる。
【００９４】
映像処理装置１のＭＰＵ１９は、第１の実施の形態と同様に動作し、特に図１３のステップＳ４についてもノイズ−パラメータ対応情報１９１Ｄに基づいてＲＦブースター１１Ａの増幅率とノイズ検出値２９とから適応するパラメータ群を決定することで実行される。
【００９５】
（第２の実施の形態の効果）
上記した第２の実施の形態によると、第１の実施の形態の効果に加え、適応パラメータ群の数を減少することができ、より単純化した構成とすることができる。
【００９６】
［他の実施の形態］
なお、本発明は、上記実施の形態に限定されず、本発明の趣旨を逸脱しない範囲で種々な変形が可能である。例えば、上記実施の形態で使用されるＤＮＲ処理部１３、エンハンサ部１４、ダイナミックガンマ補正部１５、ＲＧＢ変換部１６及びスタティックガンマ補正部１７は、ソフトウェアで構成されるものであってもよい。
【００９７】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００９８】
１…映像処理装置、２…表示部、２Ａ…表示画像、３…受光部、４…リモコン、４ａ…ブースター切替スイッチ、１０…アンテナ、１１…チューナ、１１Ａ…ＲＦブースター、１１Ｂ…選局・復調部、１２…ＡＤコンバータ／ＹＣ分離／色復調回路部、１３…ＤＮＲ処理部、１４…エンハンサ部、１５…ダイナミックガンマ補正部、１６…ＲＧＢ変換部、１７…スタティックガンマ補正部、１８…ノイズ検出部、１９…ＭＰＵ、２０…ＲＦ信号、２１…映像信号、２２…色差信号、２３…色差信号、２４…色差信号、２５…色差信号、２６…ＲＧＢ信号、２７…ＲＧＢ信号、２８…映像信号、２９…ノイズ検出値、３０…制御信号、３１…制御信号、３２…操作信号、１３０…入力、１３１…元画像バッファ、１３２…中間バッファ、１３３…減算部、１３４…増幅率調整部、１３５…加算部、１３６…出力、１４０…入力、１４１…２次微分部、１４２…増幅率調整部、１４３…加算部、１４４…出力、１５０…入力、１５１…映像信号ヒストグラム解析部、１５２…テンプレートデータ選択部、１５３…ガンマ補正部、１５４…出力、１７０…入力、１７１…テンプレートデータ選択部、１７２…ガンマ補正部、１７３…出力、１９０…パラメータ情報、１９１…ノイズ−パラメータ対応情報、１９１Ａ−１９１Ｄ…ノイズ−パラメータ対応情報
【図１】
2012023543.tif 000003
【図２】
2012023543.tif 000004
【図３】
2012023543.tif 000005
【図４】
2012023543.tif 000006
【図５】
2012023543.tif 000007
【図６】
2012023543.tif 000008
【図７】
2012023543.tif 000009
【図８】
2012023543.tif 000010
【図９】
2012023543.tif 000011
【図１０】
2012023543.tif 000012
【図１１】
2012023543.tif 000013
【図１２】
2012023543.tif 000014
【図１３】
2012023543.tif 000015
【図１４】
2012023543.tif 000016
【図１５】
2012023543.tif 000017
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
放送信号の信号強度を予め定められた複数の増幅率から選択された増幅率でＲＦ増幅する増幅部と、
前記増幅部によって信号強度が増幅された前記放送信号を復調して得られた映像信号からノイズを検出してノイズ検出値を出力する検出部と、
前記増幅部の増幅率及び前記ノイズ検出値に応じて映像処理のための補正値を決定する制御部と、
前記映像信号を前記補正値に基づいて補正処理する処理部とを有する映像処理装置。
【請求項２】
前記増幅部の信号強度の増幅率を、予め定めた複数の選択肢から選択する選択手段をさらに有する請求項１に記載の映像処理装置。
【請求項３】
前記制御部は、前記ノイズ検出値に対して前記増幅率毎に前記補正値を対応付けた対応情報に基づいて、前記処理部の前記補正値を変更する請求項１又は２に記載の映像処理装置。
【請求項４】
前記制御部は、前記補正値に対して前記増幅率毎に前記ノイズ検出値を対応付けた対応情報に基づいて、前記処理部の前記補正値を変更する請求項１〜３のいずれかに記載の映像処理装置。
【請求項５】
前記処理部は、前記映像信号に、前記映像信号のフレーム間差分を前記補正値に応じて加算してノイズを低減することで補正処理する請求項１〜４のいずれかに記載の映像処理装置。
【請求項６】
前記処理部は、前記補正値に応じて、前記映像信号に輪郭強調処理、ダイナミックガンマ補正処理、スタティックガンマ補正処理の少なくとも１つを実行することで補正処理する請求項１〜５のいずれかに記載の映像処理装置。
【請求項７】
放送信号の信号強度を予め定められた複数の増幅率から選択された増幅率でＲＦ増幅する増幅ステップと、
信号強度が増幅された前記放送信号を映像信号に復調する復調ステップと、
前記映像信号のノイズを検出する検出ステップと、
前記映像信号の信号強度の増幅率及び検出された前記ノイズに応じて前記映像信号を補正処理する処理ステップとを有する映像処理方法。
【請求項８】
放送信号の信号強度を予め定められた複数の増幅率から選択された増幅率でＲＦ増幅する増幅部と、
前記増幅部によって信号強度が増幅された前記放送信号を復調して得られた映像信号からノイズ量を検出する検出部と、
前記増幅部の増幅率及び検出された前記ノイズ量に応じて前記映像信号を補正処理する処理部と、
前記増幅率を変更することをユーザに許可する選択手段を有する映像処理装置。
【手続補正２】
【補正対象書類名】明細書
【補正対象項目名】０００７
【補正方法】変更
【補正の内容】
【０００７】
（１）本発明は、上記目的を達成するため、放送信号の信号強度を予め定められた複数の増幅率から選択された増幅率でＲＦ増幅する増幅部と、前記増幅部によって信号強度が増幅された前記放送信号を復調して得られた映像信号からノイズを検出してノイズ検出値を出力する検出部と、前記増幅部の増幅率及び前記ノイズ検出値に応じて映像処理のための補正値を決定する制御部と、前記映像信号を前記補正値に基づいて補正処理する処理部とを有する映像処理装置を提供する。
【手続補正３】
【補正対象書類名】明細書
【補正対象項目名】０００９
【補正方法】変更
【補正の内容】
【０００９】
（２）また、本発明は、上記目的を達成するため、放送信号の信号強度を予め定められた複数の増幅率から選択された増幅率でＲＦ増幅する増幅ステップと、信号強度が増幅された前記放送信号を映像信号に復調する復調ステップと、前記映像信号のノイズを検出する検出ステップと、前記映像信号の信号強度の増幅率及び検出された前記ノイズに応じて前記映像信号を補正処理する処理ステップとを有する映像処理方法を提供する。
【手続補正４】
【補正対象書類名】明細書
【補正対象項目名】００１１
【補正方法】変更
【補正の内容】
【００１１】
（３）また、本発明は、上記目的を達成するため、放送信号の信号強度を予め定められた複数の増幅率から選択された増幅率でＲＦ増幅する増幅部と、前記増幅部によって信号強度が増幅された前記放送信号を復調して得られた映像信号からノイズ量を検出する検出部と、前記増幅部の増幅率及び検出された前記ノイズ量に応じて前記映像信号を補正処理する処理部と、前記増幅率を変更することをユーザに許可する選択手段を有する映像処理装置を提供する。